(57)【要約】【課題】  車両タイプやバッテリタイプが異なる場合であっても、大型化を招くことのないバッテリ搭載装置を提供すること。【解決手段】  回転体の外周に複数種のバッテリ保持手段を配置し、回転体を回転させてバッテリ保持手段を交換することとした。【選択図】        図１
2010173365.tif 000002
【特許請求の範囲】
【請求項１】
外周に複数種のバッテリ固定手段が配置された回転体と、
該回転体を回転して所定位置に駆動する回転駆動手段と、
前記回転体を昇降し、車両の下面からバッテリを取り付ける昇降手段と、
を備えたことを特徴とする車両のバッテリ搭載装置。
【請求項２】
請求項１に記載の車両のバッテリ搭載装置において、
前記回転体の回転軸は、地平面に対し略平行であることを特徴とする車両のバッテリ搭載装置。
【請求項３】
請求項２に記載の車両のバッテリ搭載装置において、
前記回転体の回転軸は、車両進行方向に対し略直行していることを特徴とする車両のバッテリ搭載装置。
【請求項４】
請求項１ないし３いずれか１つに記載の車両のバッテリ搭載装置において、
車両の下面の傾斜状態を検出する状態検出手段と、
該状態検出手段により検出された傾斜状態に基づいて前記回転駆動手段に対し回転量を補正する回転量補正手段と、
を備えたことを特徴とする車両のバッテリ搭載装置。
【請求項５】
請求項１ないし４いずれか１つに記載の車両のバッテリ搭載装置において、
前記昇降手段は、前記回転体と共に前記回転駆動手段を昇降させることを特徴とする車両のバッテリ搭載装置。
【発明の詳細な説明】
【技術分野】
【０００１】
本発明は、車両の下面からバッテリを取り付けるバッテリ搭載装置に関する。
【背景技術】
【０００２】
車両の下面よりバッテリを取り付けるバッテリ搭載装置として、特許文献１に記載の技術が知られている。この公報には、バッテリを保持する交換テーブルと、この交換テーブルを昇降する昇降装置を備え、車両の下面からバッテリの着脱を行うものである。
【先行技術文献】
【特許文献】
【０００３】
【特許文献１】特開平６−２６２９５１号公報
【発明の概要】
【発明が解決しようとする課題】
【０００４】
しかしながら、上記特許文献１に記載の技術にあっては、車両タイプやバッテリタイプが異なる場合に対応しようとすると、複数の交換テーブル及び昇降装置を準備する必要があり、設備の大型化を招くという問題があった。
【０００５】
本発明は、上記問題に着目してなされたもので、車両タイプやバッテリタイプが異なる場合であっても、大型化を招くことのないバッテリ搭載装置を提供することを目的とする。
【課題を解決するための手段】
【０００６】
上記目的を達成するため、本発明では、回転体の外周に複数種のバッテリ保持手段を配置し、回転体を回転させてバッテリ保持手段を交換することとした。
【発明の効果】
【０００７】
これにより、車両タイプやバッテリタイプが異なる場合であっても、大型化を招くことなく迅速にバッテリを搭載することができる。
【図面の簡単な説明】
【０００８】
【図１】実施例１のバッテリ交換装置を示す全体システム図である。
【図２】実施例１の多面体治具の概要を表す拡大図である。
【図３】実施例１の多面体治具の概要を表す拡大図である。
【図４】実施例１の回転量補正処理を表す概略図である。
【図５】実施例１のバッテリ交換システムの流れを示すフローチャートである。
【発明を実施するための形態】
【実施例１】
【０００９】
図１は実施例１のバッテリ搭載装置を表す全体システム図である。尚、実施例１では、電動車両の車体フロアの下面側からバッテリを交換するバッテリ交換スタンドについて説明する。電動車両は、車両の下面に搭載された大容量バッテリを動力源として電動機のみで走行する車両である。バッテリBATの電力量が所定量以下になると（以下、使用済みバッテリと記載する）、ドライバはバッテリ交換スタンドにおいて、満充電されたバッテリ（以下、充電済みバッテリと記載する）と交換する。この交換作業の概要について説明すると、ドライバがバッテリ交換スタンドに入り、下面を洗浄する洗浄エリアを経由して交換エリアに自走して入る。この交換エリアの断面概要を示すのが図１であり、バッテリ交換の詳細については後述する。交換エリアでは、車種を識別する車種認識センサ１により車種が認識され、認識された車種に応じて完全自動化された交換システムによってバッテリ交換が実行される。
【００１０】
次に交換エリアに設置されたバッテリ交換装置について説明する。交換エリアには、車両用基台１０が設けられている。この車両用基台１０は、前輪を前方から固定する前方ストッパ１１と、前輪を外側側面から固定する側方ストッパ１２と、後輪を外側側面から固定する側方ストッパ１３とを有し、これら各ストッパは車両用基台１０から出没自在とされている。また、車両の正確な位置や傾きを検出する複数の位置検出センサ１４（状態検出手段に相当）を有する。位置検出センサ１４は、車体フロアまでの距離を測定するレーザーセンサであり、対応箇所と車両用基台１０との間の距離を高い精度で測定可能としている。そして、位置検出センサ１４により車両が所定位置に進入したことを確認すると、前方ストッパ１１及び側方ストッパ１２，１３が自動的に車輪を係止する。また、車両用基台１０の車体フロアと面する位置には開閉部が形成され、車両が係止されたことを確認すると開閉部が開口し、地下から昇降するバッテリ交換装置が車体フロアに対してアクセス可能となる。
【００１１】
〔バッテリ交換装置の構成〕
バッテリ交換装置は地下に配置されており、図外のバッテリ保管庫から車両に適合する種類の満充電された充電済みバッテリを搬入するための搬入用ベルトコンベア２０と、車両から取り外した使用済みバッテリを搬出するための搬出用ベルトコンベア２１とを有する。搬入用ベルトコンベア２０の終端から所定距離πｒ（ｍ）付近には、充電済みバッテリの位置を検出する位置センサ１５が取り付けられている。搬入用ベルトコンベア２０は、図外の保管庫から車種認識センサ１により認識された対応する充電済みバッテリを搬送する。実施例１ではＡBAT，ＢBAT，ＣBAT，ＤBATの4種類のバッテリが保管されている。搬出用ベルトコンベア２１は、取り外した使用済みバッテリを図外の充電エリアに搬送する。充電エリアで充電されたバッテリは保管庫の対応箇所に保管される。
【００１２】
搬入用ベルトコンベア２０と搬出用ベルトコンベア２１との間にはバッテリ交換機構が配置されている。バッテリ交換機構は、各種バッテリＡ〜Ｄに対応した複数種の固定用治具Ａ１，Ｂ１，Ｃ１，Ｄ１（バッテリ固定手段に相当）が配置された回転体である多面体治具３０と、多面体治具３０を回転して所定位置に駆動する回転駆動アクチュエータ５０と、多面体治具３０及び回転駆動アクチュエータ５０を共に昇降する昇降アクチュエータ４０とを有する。回転駆動アクチュエータ５０には回転角を検出する回転角センサ５０ａが備えられ、昇降アクチュエータ４０には高さ位置を検出する高さ位置センサ４０ａが備えられている。また、各センサ１４，１５，４０ａ，５０ａにより検出された信号を入力とし、後述する固定用治具に備えられた各種アクチュエータ，回転駆動アクチュエータ５０及び昇降アクチュエータ４０に対して指令信号を出力する制御ユニット100が備えられている。制御ユニット100は、各アクチュエータに対し、フィードバック制御により作動量を制御する。
【００１３】
尚、バッテリは車体フロアに対し図外の係合手段により取り付けられており、昇降アクチュエータ４０と共に昇降する図外のアクチュエータによって自動的に係合手段の解放、係合が行われる。このアクチュエータは各固定用治具に設けられている。
【００１４】
実施例１の多面体治具３０は立方体形状とされ、回転軸の外周となる４つの側面に固定用治具Ａ１，Ｂ１，Ｃ１，Ｄ１が設置されている。多面体治具３０は車両進行方向に対し略直行し、かつ、水平面（地平面）に対し略平行な回転軸を有する。回転駆動アクチュエータ５０は、この回転軸周りに多面体治具３０を回転駆動する。
【００１５】
（多面体治具の特徴）
ここで、多面体治具３０を採用した理由について補足説明する。一車種もしくは単一バッテリにのみ対応する場合には何ら問題ないが、実際には複数種が想定されるため、各種に対応した交換装置が必要となる。固定用治具と昇降アクチュエータを備えた交換システム全体を複数種毎に準備することが考えられるが、昇降自体はどの車種でも同じであり、同じ機能を持つものをいくつも準備するのは無駄である。また、バッテリ交換スタンドを想定した場合、限られた土地（スペース）に効率よく配置することが求められる。言い換えると、地下を深く掘ることで高さ方向のスペースには余裕があるが、広さ方向のスペースには余裕が無い。円盤状の回転体の上面円周方向に複数種の固定用治具を配置し、円盤を回転させて対応することも考えられる。しかし、円盤自体の面積が大きくなり、広さ方向のスペースとして制限があると、好ましくない。また、円盤全体を持ち上げる構成となると、車両の車輪が邪魔になり、対応する種類数が限られる。これに対し、多面体治具３０を実施例１に示す軸方向に回転させると、縦方向には若干スペースを取るものの、広さ方向にスペースを取ることがない。また、多面体治具３０全体を持ち上げる構成としても、車輪が邪魔になることがなく、対応する種類数にさほど制限はかからない。つまり、省スペースで素早い対応が可能となる。
【００１６】
〔固定用治具の構成〕
図２及び図３は多面体治具３０の概要を表す拡大図である。尚、固定用治具Ａ１〜Ｄ１は、それぞれ寸法構成等は異なるものの、基本的な機能は同じであるため固定用治具Ａ１についてのみ説明する。図２（ａ）に示すように、固定用治具Ａ１には、バッテリを固定するための固定部ａ１が平面状に複数形成されている。また、バッテリを適正な位置まで移動するためのベルトａ２と、ベルトａ２の外周に設けられバッテリ先端及び後端の下面に設けられた凹部ｂ１と係合する突起ａ３と、ベルトａ２を駆動する駆動ローラａ４とを有する。また、図２（ｂ）に示すように、バッテリの先端を係止する出没自在の位置決めストッパａ４と、図３に示すように、載置されたバッテリの移動を規制するラチェット機構ａ５と、を有する。ラチェット機構ａ５は搬入用ベルトコンベア２０側に斜面を有し、搬出用ベルトコンベア２１側に鉛直の縦壁を有するラチェット部材と、このラチェット部材を上方に付勢するスプリングから構成され、バッテリ搬入時はバッテリ自身によってラチェット部材が押し下げられ、バッテリがラチェット部材を通り過ぎるとスプリングによりラチェット部材が押し上げられて縦壁によりバッテリの搬入用ベルトコンベア側への移動を禁止する。
【００１７】
〔固定用治具の作用〕
まずバッテリ搬入時の固定用治具の作用について説明すると、図２（ａ）に示すように、固定用治具Ａ１に搬入用ベルトコンベア２０から充電済みバッテリが送られてくると、固定用治具Ａ１の端部に充電済みバッテリの先端が載置される程度に配置される。この状態で図２（ｂ）に示すように、駆動ローラａ４を駆動してベルトａ２を作動させると、突起ａ３がバッテリ先端側下面の凹部ｂ１と係合し、ベルトの作動に伴ってバッテリを適正位置まで移動する。
【００１８】
一方、使用済みバッテリを取り外した後のバッテリ搬出時では、位置決めストッパａ４が固定用治具Ａ１内に収納される。そして、駆動ローラａ４を駆動してベルトａ２を作動させると、突起ａ３がバッテリ下面の凹部ｂ１（この場合は後端側の凹部）と係合し、ベルトの作動に伴ってバッテリを搬出用ベルトコンベア２１上に載置する。その後、搬出用ベルトコンベア２１の作動によって使用済みバッテリは図外の充電設備へ搬出される。
【００１９】
〔回転駆動アクチュエータによる制御〕
次に、回転駆動アクチュエータによる制御処理について説明する。
（最短回転制御処理）
最短回転制御処理とは、車種に適合したバッテリに対応する固定用治具を素早く選択するために行われる制御処理であり、回転駆動アクチュエータ５０において行われる。具体例を用いて説明すると、図１に示すように、多面体治具３０が固定用治具Ａ１を上面として静止している状態を初期状態とする。ＢBATを適合バッテリとする車両がバッテリ交換のために進入してくると、回転駆動アクチュエータ５０は、該当する固定用治具Ｂとなるように回転駆動する。このとき、図１中時計回りによって回転させるか、反時計回りによって回転させるか否かが問題となる。
【００２０】
反時計回りに回転させる場合には、多面体治具３０を90度回転させるだけでよい。しかし、仮に、時計回りでＢに移動させるとすると、多面体治具３０を270度回転させる必要があり、迅速に対応する固定治具を準備することができない。そこで、現在の固定用治具から対応する固定用治具まで回転させるに当たり、時計回りと反時計回りとでどちらの回転量が少ないかを判断し、少ないほうに回転させる（最短回転制御処理）。
【００２１】
具体的には、現在の固定用治具から対応する固定用治具まで時計回りしたときの成す角を算出し、この成す角が180度以下なら反時計回りさせることとし、それ以上の角度すなわち270度なら時計回りさせ、成す角が０のときは回転させないこととする。多面体治具３０が更に多くの面を有している場合には、成す角が180度以下なら反時計回り、180度よりも大きく360度よりも小さいなら時計回り、一致している場合は回転させないこととすればよい。これにより、迅速に対応する固定治具を準備することができる。
【００２２】
（回転量補正処理）
車両からバッテリを取り外す際、もしくは車両にバッテリを取り付ける際、上述のように対応する固定用治具を昇降アクチュエータ４０によって昇降させて車体フロアにアクセスする。車体フロアは常に水平状態であればよいが、重量物の積載（乗員や荷物等）によって、もしくは、各部品の経時変化によっても水平状態が常時得られるとは限らない。特に、電動車両のバッテリは数百キロ単位の重量物であり、取り外すときと、取り付けるときとでは、車両に作用する重量が異なり、傾きが生じる。
【００２３】
そこで、位置検出センサ１４により車体フロアのピッチ方向の傾きを検出し、その傾きに応じて回転駆動アクチュエータの回転量を補正する。図４は、回転量補正処理を表す概略図である。図４（ａ）に示すように、車両が進入してきたとき、使用済みバッテリを取り外して搬出するとき、充電済みバッテリを搬入するときは、いずれも多面体治具３０は対応する固定用治具が水平状態となるように制御する。一方、車体フロアにアクセスするときは、図４（ｂ）に示すように、車体フロアのピッチ方向の傾きと平行となるように回転量を補正し（回転量補正処理）、平行な状態で車体フロアにアクセスさせる。
【００２４】
（位置決め処理）
充電済みバッテリを搬入用ベルトコンベア２０から固定用治具に供給し、バッテリを適正位置まで移動した後、最終的な位置決めは回転駆動アクチュエータ５０による回転作動により行われる。具体的には図３に示すように、搬出用ベルトコンベア２１側に所定量傾斜させ、バッテリの自重を利用してスライドさせ、位置決めストッパａ４と当接させる。このとき、所定位置に設置されると、ラチェット機構ａ５によりバッテリの移動が両側から規制されることとなる。このときの回転角は、予め設定された所定回転角としてもよいし、バッテリの形状や重量等に応じた回転角としてもよいし、バッテリがラチェット部材を通り過ぎるまで断続的に回転角を増大させるように制御してもよく、特に限定しない。
【００２５】
〔バッテリ交換システムの作用〕
次に、上記各構成及び制御等を用いたバッテリ交換システムの全体の流れについて説明する。図５はバッテリ交換システムの流れを示すフローチャートである。
ステップＳ１では、車種認識センサ１により車種を検知する。車種認識センサ１としては撮像カメラ等から車両の外形を認識して車種を特定するようにしてもよいし、車両に予め車種信号を発信させるようにしておいて、その信号を受信して車種を特定するようにしてもよい。
ステップＳ２では、検知された車種に対応する固定用治具となるように多面体治具３０の上述の最短回転制御処理を実行する。
ステップＳ３では、位置検出センサ１４により車両が所定位置に到達したことを確認し、所定位置に到達したと確認されると各ストッパ１１，１２，１３により車輪を固定する。
ステップＳ４では、車体の傾きを検出して回転量補正処理を実行する。
ステップＳ５では、昇降アクチュエータ４０を上昇させて固定用治具を車体フロアにアクセスさせ、アクチュエータにより係合手段を解放して使用済みバッテリを固定用治具に載置して取り外す。
ステップＳ６では、使用済みバッテリを取り外した後、多面体治具３０を回転させて補正された回転量を水平状態に戻し、昇降アクチュエータ４０を降下させる。
ステップＳ７では、ストッパａ４を埋没させ、駆動ローラａ４によりベルトａ２を作動させ使用済みバッテリを固定用治具から搬出用ベルトコンベア２１に排出する。
【００２６】
ステップＳ８では、対応する充電済みバッテリを搬入用ベルトコンベア２０により所定位置まで搬入する。
ステップＳ９では、ストッパａ４を突出させ、駆動ローラａ４によりベルトを作動させ充電済みバッテリを搬入用ベルトコンベア２０から固定用治具に供給する。
ステップＳ１０では、回転駆動アクチュエータ５０により位置決め処理を実行する。
ステップＳ１１では、車体の傾きを検出して回転量補正処理を実行する。
ステップＳ１２では、昇降アクチュエータ４０を上昇させて充電済みバッテリを車体フロアにアクセスさせ、アクチュエータにより係合手段を係合させて充電済みバッテリを取り付ける。
ステップＳ１３では、昇降アクチュエータ４０を降下させ、各ストッパ１１，１２，１３を解除する。
【００２７】
以上説明したように、実施例１にあっては下記の作用効果を得ることができる。
(1)外周に複数種の固定用治具Ａ１〜Ｄ１（バッテリ固定手段）が配置された多面体治具３０（回転体）と、多面体治具３０を回転して所定位置に駆動する回転駆動アクチュエータ５０（回転駆動手段）と、多面体治具３０を昇降し、車両の下面からバッテリを取り付ける昇降アクチュエータ４０（昇降手段）と、を備えた。よって、車両タイプやバッテリタイプが異なる場合であっても、大型化を招くことなく迅速にバッテリを搭載することができる。
(2)多面体治具３０の回転軸は、地平面に対し略平行な回転軸を有する。よって、広さ方向において省スペース化を図ることが出来る。また、多面体治具３０を昇降アクチュエータによって昇降させたとしても、車輪等に干渉しないため、その場合にはより迅速な取り付けができる。
(3)多面体治具３０の回転軸は、車両進行方向に対し略直行している。電動車両のバッテリは数百キロ単位の重量物である。よって、取り外すときと、取り付けるときとでは、車両に作用する重量が異なり、主にピッチ方向に傾きが異なる。このとき、地平面に対し略平行かつ車両進行方向に対し略直行した回転軸を持つことで、ピッチ方向の傾きに対応して素早く補正することができる。
【００２８】
(4)車両の下面の傾斜状態を検出する位置検出センサ１４（状態検出手段）と、位置検出センサ１４により検出された傾斜状態に基づいて回転駆動アクチュエータ５０に対し回転量を補正する回転量補正処理（回転量補正手段）と、を備えた。よって、多面体治具３０の対応する固定用治具選択用の機能を利用してバッテリ取り付け、取り外し時の調整を図ることができる。
【００２９】
(5)昇降アクチュエータ４０は、多面体治具３０と共に回転駆動アクチュエータ５０を昇降させる。よって、バッテリ取り付け時の作動毎に次のステップに移行するための準備が必要なく、各作動を連続的に行うことで迅速なバッテリ交換を達成できる。
【００３０】
（他の実施例）
以上、実施例１について説明したが、本発明は上記構成に限られず、他の構成を採用してもよい。
例えば、実施例１はバッテリ交換スタンドに適用した例を示したが、本発明は製造ライン等でバッテリを取り付ける際に用いてもよい。
また、車両用基台１０の車体フロアと面する位置には開閉部が形成され、車両が係止されたことを確認すると開閉部が開口する構成としたが、最初から開口していてもよい。
実施例１では、係合手段を解放、係合するアクチュエータを固定用治具それぞれに設けたが、昇降多面体治具３０に設けられてもよいし、昇降アクチュエータ４０に設けられてもよい。また、係合手段は、ボルト締結でもよいし、カム機構等を利用したレバー操作でもよい。
実施例１では４種類のバッテリに対応すべく４つの治具を備えているが、更に多種類の治具が必要な場合は、断面５角形、６角形というように複数の面を備えた多面体とすればよい。
実施例１ではラチェット部材が出没することでバッテリを固定したが、アクチュエータによって固定部材を作動させるようにしてもよい。
実施例１では、多面体治具の回転軸は、地平面に対し略平行かつ車両進行方向に対し略直行した回転軸を持つこととしたが、地平面に対し略平行かつ車両進行方向に対し略平行な回転軸としてもよいし、地平面に対し直交する回転軸を持つこととしてもよい。また、地平面や車両進行方向に直行もしくは平行の関係だけでなく、交差する関係を持つようにしてもよい。
実施例１では、電動車両について説明したが、エンジンを備えたハイブリッド車両に適用してもよい。
【符号の説明】
【００３１】
１４    位置検出センサ（状態検出手段）
３０    多面体治具（回転体）
４０    昇降アクチュエータ（昇降手段）
５０    回転駆動アクチュエータ（回転駆動手段）
Ａ１，Ｂ１，Ｃ１，Ｄ１    固定用治具（バッテリ固定手段）
BAT    バッテリ
【図１】
2010173365.tif 000003
【図２】
2010173365.tif 000004
【図３】
2010173365.tif 000005
【図４】
2010173365.tif 000006
【図５】
2010173365.tif 000007